(57)【要約】【課題】冷却器運転中であっても運転を停止することなく、かつ冷却性能を低下させることなく壁面に付着する海洋生物を死滅させることが可能な多管式冷却器及びその使用方法を提供する。【解決手段】冷却管２内に低温側流体として海水を流す多管式冷却器１であり、少なくとも海水入口側の水室内側壁面２５に近接又は接触するように取付けられ、複数の噴出口３８から蒸気及び／又は蒸気が凝縮したドレンを該水室内側壁面２５に直接吹付け、海水の温度を大きく上昇させることなく該水室内側壁面２５の表面温度を海洋生物が死滅可能な温度まで上昇させる水室蒸気供給管３０を有する。【選択図】図１
2009127966.tif 000002
【特許請求の範囲】
【請求項１】
冷却管内に低温側流体として海水を流す多管式冷却器であり、少なくとも海水入口側の水室内側壁面に近接又は接触するように取付けられ、複数の噴出口から蒸気及び／又は蒸気が凝縮したドレンを前記水室内側壁面に直接吹付け、海水の温度を大きく上昇させることなく前記水室内側壁面の表面温度を海洋生物が死滅可能な温度まで上昇させる水室蒸気供給管を有することを特徴とする多管式冷却器。
【請求項２】
胴部一端に設けられ、仕切板で仕切られた海水入口部及び海水出口部を有する水室と、胴部他端に設けられ、海水入口部から送られた海水を海水出口部に送る水室とを有し、冷却管内に低温側流体として海水を流す多管式冷却器であり、海水入口部及び海水出口部を有する前記水室のうち海水入口部側の水室内側壁面、及び海水を海水出口部に返送する前記水室の水室内側壁面にそれぞれ近接又は接触するように取付けられ、複数の噴出口から蒸気及び／又は蒸気が凝縮したドレンを前記水室内側壁面に直接吹付け、海水の温度を大きく上昇させることなく前記水室内側壁面の表面温度を海洋生物が死滅可能な温度まで上昇させる水室蒸気供給管を有することを特徴とする多管式冷却器。
【請求項３】
前記水室蒸気供給管の噴出口は、該噴出口から噴出する蒸気及び／又は蒸気が凝縮したドレンが前記水室内側壁面に沿って移動するように蒸気及び／又は蒸気が凝縮したドレンを噴出させることを特徴とする請求項１又は請求項２に記載の多管式冷却器。
【請求項４】
前記水室蒸気供給管は、管外径が小さいことを特徴する請求項１から請求項３のいずれか１項に記載の多管式冷却器。
【請求項５】
多管式冷却器を運転中に該多管式冷却器の運転を停止することなく、前記水室蒸気供給管に間欠的に蒸気を供給し、海水の温度を大きく上昇させることなく前記水室内側壁面の表面温度を海洋生物が死滅可能な温度まで上昇させることを特徴とする請求項１から請求項４のいずれか１項に記載の多管式冷却器の使用方法。
【発明の詳細な説明】
【技術分野】
【０００１】
本発明は、冷却管内に低温側流体として海水を流す多管式冷却器に関し、多管式冷却器を運転中であっても水室内側の壁面に付着する海洋生物を死滅させることが可能であり、多管式冷却器を停止させることなく長期間にわたり連続運転を行うことができる多管式冷却器に関する。
【背景技術】
【０００２】
火力発電所では、蒸気タービンから排出される蒸気を冷却凝縮させる復水器を含め、発電機を冷却し温度の上昇した水素ガスを冷却するタービン発電機用水素冷却器、タービン油を冷却するタービン油冷却器、ボイラ、タービン補機等軸受冷却水に使用される所内冷却水を冷却する軸受冷却水冷却器の冷却媒体に海水が使用されている。軸受冷却水冷却器は、隔壁式の熱交換器である多管式冷却器が多く使用され、冷却管内に海水を、冷却管外に所内冷却水を流すのが一般的である。所内冷却水を冷却する海水は、取水路から取水され所内冷却水を冷却することで自身は温度を上昇させ、放水路に放流される。一方、所内冷却水は淡水であり、軸受冷却水冷却器とタービン発電機用水素冷却器等との間を循環する。
【０００３】
軸受冷却水冷却器は冷却媒体に海水を使用するため、長期間の運転を行うと海水に含まれる貝などの海洋生物が水室の壁面等に付着生長し、海水の流れを阻害する場合がある。このため冷却媒体に海水を使用する冷却器、熱交換器にあっては、海洋生物対策が課題の一つとなっており、塩素又は次亜塩素酸ソーダを注入する方法、運転を停止し冷却器内を清掃する方法、温度を上昇させて海洋生物の付着生長を防止する方法が提案されている。温度を上昇させて水室等の壁面に海洋生物が付着生長することを防止する方法は、例えば４０℃の雰囲気では海洋生物は数１０分で致死することを利用した方法である（例えば特許文献１、特許文献２、特許文献３参照）。
【特許文献１】特開平７−１９０６８４号公報
【特許文献１】特開２００１−１８３４９２号公報
【特許文献２】特開平１０−２５３２７１号公報
【発明の開示】
【発明が解決しようとする課題】
【０００４】
海洋生物の付着、生長防止に塩素又は次亜塩素酸ソーダを注入する方法は、環境上の観点からは好ましい方法とは言えない。運転を停止し冷却器内を清掃する方法は、確実な方法であるが、手間がかかり、さらに運転を停止しなけばならないため、予備器を備えていない場合は、発電自体を停止する必要がある。特許文献１から特許文献３に記載の温度を上昇させて海洋生物の付着生長を防止する方法は、冷却器に温水等を供給し海洋生物を死滅させる方法であるが、海水の供給を停止した状態で行う必要があるため、冷却器を運転しながら行うことはできない。よって予備機を準備し軸受冷却水冷却器を切替えながら運転を行い休止中に温水を供給するか、発電設備が停止中に温水を供給する必要がある。これらは軸受冷却水冷却器に限らず、海水を使用する他の冷却器、熱交換器でも同じである。
【０００５】
本発明の目的は、冷却器運転中であっても運転を停止することなく、かつ冷却性能を低下させることなく壁面に付着する海洋生物を死滅させることが可能な多管式冷却器及びその使用方法を提供することである。
【課題を解決するための手段】
【０００６】
請求項１に記載の多管式冷却器は、冷却管内に低温側流体として海水を流す多管式冷却器であり、少なくとも海水入口側の水室内側壁面に近接又は接触するように取付けられ、複数の噴出口から蒸気及び／又は蒸気が凝縮したドレンを前記水室内側壁面に直接吹付け、海水の温度を大きく上昇させることなく前記水室内側壁面の表面温度を海洋生物が死滅可能な温度まで上昇させる水室蒸気供給管を有することを特徴とする。
【０００７】
請求項２に記載の多管式冷却器は、胴部一端に設けられ、仕切板で仕切られた海水入口部及び海水出口部を有する水室と、胴部他端に設けられ、海水入口部から送られた海水を海水出口部に送る水室とを有し、冷却管内に低温側流体として海水を流す多管式冷却器であり、海水入口部及び海水出口部を有する前記水室のうち海水入口部側の水室内側壁面、及び海水を海水出口部に返送する前記水室の水室内側壁面にそれぞれ近接又は接触するように取付けられ、複数の噴出口から蒸気及び／又は蒸気が凝縮したドレンを前記水室内側壁面に直接吹付け、海水の温度を大きく上昇させることなく前記水室内側壁面の表面温度を海洋生物が死滅可能な温度まで上昇させる水室蒸気供給管を有することを特徴とする。
【０００８】
請求項３に記載の多管式冷却器は、前記構成に加え、前記水室蒸気供給管の噴出口は、該噴出口から噴出する蒸気及び／又は蒸気が凝縮したドレンが前記水室内側壁面に沿って移動するように蒸気及び／又は蒸気が凝縮したドレンを噴出させることを特徴とする。
【０００９】
請求項４に記載の多管式冷却器は、前記構成に加え、前記水室蒸気供給管は、管外径が小さいことを特徴する。
【００１０】
請求項５に記載の多管式冷却器の使用方法は、前記多管式冷却器の使用方法であって、多管式冷却器を運転中に該多管式冷却器の運転を停止することなく、前記水室蒸気供給管に間欠的に蒸気を供給し、海水の温度を大きく上昇させることなく前記水室内側壁面の表面温度を海洋生物が死滅可能な温度まで上昇させることを特徴とする。
【発明の効果】
【００１１】
本発明の多管式冷却器は、少なくとも海水入口側の水室内側壁面に近接又は接触するように取付けられた、複数の噴出口から当該水室内側壁面に蒸気及び／又は蒸気が凝縮したドレンを直接吹付ける水室蒸気供給管を有するので、水室蒸気供給管に蒸気を供給することで、海水温度を殆ど上昇させることなく、供給した蒸気、蒸気が凝縮したドレン又はこれら混合物で水室内側の壁面を加熱することができる。これにより多管式冷却器を運転しているときであっても、冷却性能を殆ど低下させることなく水室内側の壁面を加熱し、水室の壁面に付着する海洋生物を死滅させることが可能となり長期間の連続運転が可能となる。
【００１２】
また本発明の多管式冷却器は、海水入口部及び海水出口部を有する水室のうち海水入口部側の水室内側壁面、及び海水を海水出口部に返送する水室の水室内側壁面にそれぞれ近接又は接触するように取付けられ、複数の噴出口から蒸気及び／又は蒸気が凝縮したドレンを水室内側壁面に直接吹付ける水室蒸気供給管を有するので、水室蒸気供給管に蒸気を供給することで、海水温度を殆ど上昇させることなく、供給した蒸気、蒸気が凝縮したドレン又はこれら混合物で水室内側の壁面を加熱することができる。これにより多管式冷却器を運転しているときであっても、冷却性能を殆ど低下させることなく水室内側の壁面を加熱し、水室の壁面に付着する海洋生物を死滅させることが可能となり長期間の連続運転が可能となる。
【００１３】
また本発明によれば、多管式冷却器が備える水室蒸気供給管の複数の噴出口は、噴出口から噴出する蒸気及び／又は蒸気が凝縮したドレンが水室内側壁面に沿って移動するように蒸気及び／又は蒸気が凝縮したドレンを噴出させるので、少ない蒸気量で効率的に水室内側壁面を加熱することが可能であり、多管式冷却器を運転しているときであっても、冷却性能を殆ど低下させることなく水室内側の壁面を加熱することができる。
【００１４】
また本発明によれば、多管式冷却器が備える水室蒸気供給管は、管外径が小さいので海水との伝熱面積が少なく、多管式冷却器の運転中であっても海水により冷却されにくく、少ない蒸気量で水室内側の壁面をより効率的に加熱することが可能となる。
【発明を実施するための最良の形態】
【００１５】
図１は、本発明の第１実施形態としての多管式冷却器１の概略的構成を示す断面図である。図２は、水室蒸気供給管３０の配置を示す図であって、海水入口側水室６から冷却管２側方向に見た図である。図３は、図２の切断線ＩＩＩ−ＩＩＩで切断した断面図である。
【００１６】
多管式冷却器１は、隔壁式熱交換器であり、冷却管２内を冷却媒体である海水が流れ、冷却管２外を被冷却水が流れる。被冷却水は淡水である。冷却管２は多数の冷却管からなり胴３の両端の固定管板４、５に固定されている。胴３の両端には海水入口側水室６、海水出口側水室７が設けられており、胴３と海水入口側水室６、海水出口側水室７とはフランジ８、９、１０、１１で接続されている。海水入口側水室６の上部に設けられた海水入口管１３から供給された海水は、冷却管２内を流れ、海水出口側水室７の下部に設けられた海水出口管１６から排出される。
【００１７】
被冷却水は、海水入口側水室６に近い胴３の下部に設けられた被冷却水入口管１７から胴３に導入され、冷却管２内を流れる海水と熱交換し温度を低下させ、海水出口側水室７に近い胴３の上部に設けられた被冷却水出口管１８から排出される。胴３内部には胴３の長手方向に直交するように複数のじゃま板１９が設置されており、胴３内部での被冷却水のショートパスを防止している。海水入口管１３、海水出口管１６、被冷却水入口管１７、及び被冷却水出口管１８には各々流体の温度を測定するための温度センサ２０、２１、２２、２３が設けられており、海水の入出温度、被冷却水の入出温度を測定することができる。
【００１８】
さらに多管式冷却器１は、海水入口側水室６の内壁面２５を加熱するための水室蒸気供給管３０が取付けられている。水室蒸気供給管３０の一端は、海水入口側水室６を貫通し外部３１の電動弁３２と接続する。電動弁３２は蒸気管３３を介して図示を省略した蒸気
供給装置と接続する。水室蒸気供給管３０は、蒸気を供給するヘッダ３４、ヘッダ３４に接続し内壁面２５を加熱する複数の枝管３６（３６ａ、３６ｂ、３６ｃ、３６ｄ、３６ｅ、３６ｆ、３６ｇ）を有する。
【００１９】
各々の枝管３６はリング形状を有し、各枝管３６は、内壁面２５に接触するように取付けられている。各枝管３６には、内壁面２５に接するように内壁面２５の方向にのみ複数の貫通孔３８が穿設され、この貫通孔３８から蒸気及び／又は蒸気が凝縮した高温のドレンが噴出する。但し海水入口管１３近傍には貫通孔３８は設けられていない。このような水室蒸気供給管３０に蒸気を供給すると、枝管３６の貫通孔３８から噴出される蒸気又は海水で冷却され凝縮した高温のドレン又はこれら混合物、さらにこれらと海水の混合物は、内壁面２５に衝突後内壁面２５に沿うように移動し、内壁面２５を加熱する。
【００２０】
水室蒸気供給管３０を構成する枝管３６及びそこに穿設する貫通孔３８の数は特に限定されないけれども、各枝管及び貫通孔の数は多い方が好ましい。この多管式冷却器１は、後述の使用例で示すように多管式冷却器１を運転中に海水入口側水室６の内壁面２５に蒸気及び／又は蒸気が凝縮した高温のドレンを吹付け加熱する。吹付けた蒸気及び／又は蒸気が凝縮したドレンは、内壁面２５を加熱すると共に海水温度を上昇させるように作用するので、内壁面２５の加熱に多量の蒸気を使用することは冷却性能の低下につながり好ましくない。少ない数の枝管３６で広く内壁面２５を加熱しようとすると、枝管１本当りから噴出させる蒸気及び／又は蒸気が凝縮したドレンの量を多くする必要がある。この場合、噴出させた蒸気及び／又は蒸気が凝縮した高温のドレンの一部は、内壁面２５を加熱することなく拡散し、直接海水と混合するので好ましくない。水室蒸気供給管３０を構成する各枝管３６の数を多くし、一本の枝管から噴出させる蒸気及び／又は蒸気が凝縮した高温のドレンの量を少なくすることでこれらを内壁面２５の加熱に効率的に使用することができる。貫通孔３８の数も同様に考えることができる。
【００２１】
さらに一の枝管３６の外径も小さい方が、枝管３６の管壁を通じての海水への放熱が少なくなり、供給する蒸気量が少なくて済むので好ましい。また枝管３６に熱伝導度の小さい材料を使用することが枝管３６の管壁を通じての海水への放熱が少なくなり、供給する蒸気量が少なくて済むので好ましい。但し、枝管３６を含め海水入口側水室６内に位置する水室蒸気供給管３０自身の外壁表面にも海洋生物が付着するので、水室蒸気供給管３０自身の外壁表面の温度を海洋生物が死滅する温度にする必要がある。この点も含め水室蒸気供給管３０の材料の熱伝導度を決定する必要がある。
【００２２】
多管式冷却器１の使用方法の一例を示す。本発明の多管式冷却器１は、多管式冷却器１を運転中、つまり低温側流体である海水及び高温側流体である淡水を流した状態で水室蒸気供給管３０に蒸気を供給し、海水入口側水室６の内壁面２５を加熱し内壁面２５に付着する海洋生物を死滅させる。蒸気の供給は多管式冷却器１を運転している間中常時行う必要はなく、定期的に又は海洋生物が生長しやすい時期に行えればよい。海洋生物を死滅させるに必要な壁面の加熱温度及び加熱時間は、従来と同様である。壁面に付着する海洋生物を加熱し死滅させるために蒸気又は温水で壁面を加熱する方法は従来から知られているけれども、従来の方法は冷却器の運転を停止した状態で行うものであり、本発明は運転中に海水入口側水室６の内壁面２５に蒸気及び／又は蒸気が凝縮した高温のドレンを吹付け、内壁面２５を加熱する点に特徴がある。
【００２３】
海水入口側水室６の内壁面２５に接触するように水室蒸気供給管３０を設け、内壁面２５に向かって非常に近接した位置から高速で蒸気を噴射させると、蒸気、蒸気が周りの海水に冷却され凝縮した高温のドレン又はこれら混合物、さらにこれらと海水の混合物が内壁面２５に吹付けられる。海水入口側水室６の内壁面２５の近傍は、海水の流速が遅く海水が入れ替わりにくいので、少ない蒸気量で内壁面２５を効率的に加熱することができる。海水の流量に比較して使用する蒸気量は圧倒的に少なく、かつ海水入口側水室６の内壁面２５の近傍は海水の流速が遅く海水が入れ替わりにくいので、海水入口側水室６内を流通する海水の温度を大きく上昇させることなく海水入口側水室６の内壁面２５を加熱し、そこに付着する海洋生物を死滅させることができる。また貫通孔３８から噴出する蒸気、蒸気が周りの海水に冷却され凝縮した高温のドレン又はこれら混合物、さらにこれらと海水との混合物が内壁面２５に沿って移動するように貫通孔３８を設けることで、より少ない蒸気量で海水入口側水室６の内壁面２５を効率的に加熱することができる。以上のことから本発明を発電所で使用する軸受冷却水冷却器に好適に使用することができる。
【００２４】
海洋生物は海水の流れの遅い場所である水室の壁面等に付着、生長しやすい一方、流速の早い冷却管には付着しにくい。このため水室内に蒸気供給管を設置し、蒸気及び／又は蒸気が凝縮した高温のドレンを直接、水室の壁面等に吹付け海洋生物を死滅させる方法は効率的と言える。海水入口側水室６の内壁面２５に海洋生物が付着生長すると、海水の流れを阻害したり、生長した海洋生物が内壁面２５から剥離し冷却管２を塞ぐこともあるので、海水入口側水室６に蒸気供給管３０を設置する。本実施形態では、海水出口側水室７の内壁面を加熱する蒸気供給管を設けていないけれども、海水出口側水室７内に内壁を加熱する蒸気供給管を設けてもよいことはもちろんである。
【００２５】
図４は、図３に示す水室蒸気供給管３０の枝管３６ｄの第一変形例である枝管４０ｄを示す断面図である。図３に示す水室蒸気供給管３０の枝管３６ｄと同一の部材、同一場所には同一の符号を付して詳細な説明を省略する。図４に示す枝管４０ｄは、水室蒸気供給管を構成する枝管であって、枝管４０ｄに穿設された蒸気及び／又は蒸気が凝縮したドレンの噴出口である貫通孔４２を除けば、枝管３６ｄと同一である。図３に示す枝管３６ｄでは、枝管の内径とほぼ同一の貫通孔３８が内壁面２５に対して正対するように穿設されているけれども、この枝管４０ｄでは、内壁面２５に対して正対する位置から１０°〜５０°の位置に左右に一個穿設されている。また図３に示す枝管３６ｄに穿設された貫通孔３８に比較して、枝管４０ｄに穿設された貫通孔４２の直径は小さい。このように貫通孔４２を設けることで、貫通孔４２から噴出する蒸気及び／又は蒸気が凝縮したドレンがより内壁面２５に沿って移動しやすくなり、少ない蒸気量で効率的に内壁面２５を加熱することができる。
【００２６】
図５は、図３に示す水室蒸気供給管３０の枝管３６ｄの第二変形例である枝管４４ｄを示す断面図である。図３に示す水室蒸気供給管３０の枝管３６ｄと同一の部材、同一場所には同一の符号を付して詳細な説明を省略する。図５に示す枝管４４ｄは、水室蒸気供給管を構成する枝管であって、図３又は図４に示す枝管３６、４０と異なり枝管４４ｄが内壁面２５に対して僅かな隙間δを有した状態で取付けられている。さらに枝管４４ｄに穿設された貫通孔４６は、図３に示す枝管３６ｄに穿設された貫通孔３８に比較して小さい。この貫通孔４６から噴出する蒸気及び／又は蒸気が凝縮したドレンは内壁面２５に沿って移動するので、少ない蒸気量で効率的に内壁面２５を加熱することができる。
【００２７】
図６は本発明の第２実施形態としての多管式冷却器５０の概略的構成を示す断面図である。図７は、海水入口側水室蒸気供給管７０の配置を示す平面図である。図８は、図６のＡ部の拡大図であって、海水入口側水室蒸気供給管７０のうち水室蓋５８の下半分の内壁面５９を加熱する水室蓋蒸気供給管７５を水室蓋５８から冷却管２側方向に見た図である。図９は、海水入口側水室蒸気供給管７０のうち下方水室５２の内壁面５７を加熱する内壁蒸気供給管及び仕切板５５の表面６０を加熱する仕切板蒸気供給管の設置要領を示す部分断面図である。図１から図３に示す第１実施形態の多管式冷却器１と同一の部材、同一の場所には同一の符号を付して詳細な説明を省略する。
【００２８】
多管式冷却器５０は、隔壁式熱交換器であり、冷却管２内を冷却媒体である海水が流れ、冷却管２外を淡水の被冷却水が流れる点においては、第１実施形態の多管式冷却器１と同一であるが、海水の流れが異なる。胴３の一端に取付けられた水室は、仕切板５５で上下に２分割され、下方水室５２に海水入口管１３が、上方水室５４に海水出口管１６が設けられている。海水入口管１３を通じて下方水室５２に供給された海水は、胴３に固定された下半分の冷却管２内を流れ、他端の水室で流れを反転させ、胴３に固定された上半分の冷却管２内を流れ、海水入口側の上方水室５４に集められた後、海水出口管１６から排出される。下方水室５２及び上方水室５４を有する水室を海水入口側水室５１、下方水室５２から送られた海水を上方水室５４に返送する水室を海水戻り側水室５３とする。
【００２９】
多管式冷却器５０は、海水入口側の下方水室５２内に、下方水室５２の内壁面５７、水室蓋５８の下半分の内壁面５９及び仕切板５５の表面６０を加熱するための海水入口側水室蒸気供給管７０が取付けられている。同様に海水戻り側水室５３の内壁面を加熱するための海水戻り側水室蒸気供給管９０が取付けられている。第１実施形態に示す多管式冷却器１においては、海水入口側水室６内にのみ蒸気供給管３０が取付けられていたけれども、多管式冷却器５０においては、海水入口側水室５１の下方水室５２から送られた海水が、海水戻り側水室５３で反転し冷却管２内を流れるので、生長した海洋生物が壁面から剥離し冷却管を塞がないように海水戻り側水室５３内にも蒸気供給管９０を取付けている。第２実施形態に示す海水入口側水室蒸気供給管７０及び海水戻り側水室蒸気供給管９０の取付け要領等は、第１実施形態に示す多管式冷却器１の海水入口側水室６に設けた水室蒸気供給管３０と基本的に同じである。
【００３０】
海水入口側水室蒸気供給管７０の一端は、水室蓋５８を貫通し下方水室５２の外部３１の電動弁７２と接続する。電動弁７２は蒸気管７３を介して図示を省略した蒸気供給装置と接続する。海水入口側水室蒸気供給管７０は、各部に蒸気を供給するヘッダ７４、ヘッダ７４に接続し水室蓋５８の下半分の内壁面５９を加熱する水室蓋蒸気供給管７５、下方水室５２の内壁面５７を加熱する内壁蒸気供給管及び仕切板５５の表面６０を加熱する仕切板蒸気供給管を備える。
【００３１】
水室蓋５８の下半分は、冷却管２側から見て半円状の形状を有し、この水室蓋５８の内表面５９を加熱する水室蓋蒸気供給管７５も複数の半円状の枝管７６（７６ａ、７６ｂ、７６ｃ、７６ｄ）で構成されている。半円状の枝管７６は同心円上に配置され、各枝管７６は仕切板５５の表面６０を加熱する仕切板蒸気供給管の枝管８６ａ、８６ｉに接続し、この枝管８６ａ、８６ｉを通じて蒸気が供給される。各枝管７６には、水室蓋５８方向にのみ複数の貫通孔７８が穿設され、この貫通孔７８から蒸気及び／又は蒸気が凝縮した高温のドレンが噴出する。各枝管７６は、水室蓋５８に接触するように取付けられており、貫通孔７８も図３に示す枝管３６ｄに穿設された貫通孔３８と同様、水室蓋５８に接触している。このような水室蓋蒸気供給管７５に蒸気を供給すると、枝管７６の貫通孔７８から噴出される蒸気又は海水で冷却され凝縮した高温のドレン又はこれら混合物、さらにこれらと海水の混合物は、水室蓋５８に衝突後水室蓋５８に沿うように移動し、水室蓋５８の表面５９を加熱する。
【００３２】
仕切板５５の表面６０を加熱する仕切板蒸気供給管は、冷却管２の方向に向かって多数設置された直管状の枝管８６（８６ａ、８６ｂ、８６ｃ、８６ｄ、８６ｅ、８６ｆ、８６ｇ、８６ｈ、８６ｉ、８６ｊ、８６ｋ、８６ｌ、８６ｍ、８６ｎ、８６ｏ、８６ｐ）からなり、各枝管８６には仕切板５５の方向にのみ蒸気及び／又は蒸気が凝縮した高温のドレンを噴出する多数の貫通孔８８が穿設されている。枝管８６は仕切板５５の直ぐ下に設置されたヘッダ７４に接続し、ヘッダ７４を通じて供給される蒸気及び／又は蒸気が凝縮した高温のドレンを仕切板５５に向けて噴出する。各枝管８６は、水室蓋５８を加熱する枝管７６と同様に、仕切板５５に接触するように取付けられており、貫通孔８８も仕切板５５の表面６０に接触している。
【００３３】
下方水室５２の内壁面５７を加熱する内壁蒸気供給管も複数の枝管８２（８２ａ、８２ｂ、８２ｃ、８２ｄ、８２ｅ、８２ｆ、８２ｇ）からなり、各枝管８２は仕切板５５を加熱する各枝管８６に接続し、この枝管８６を通じて蒸気が供給される。複数の枝管８２は、半円状の形状を有し、下方水室５２の内壁面５７に接するように取付けられ、多数の貫通孔８４を通じて下方水室５２の内壁面５７に蒸気及び／又は蒸気が凝縮した高温のドレンを吹付ける。
【００３４】
海水戻り側水室蒸気供給管９０の一端は、海水戻り側水室５３を貫通し外部３１の電動弁９２と接続する。電動弁９２は蒸気管９３を介して図示を省略したスチーム供給装置と接続する。海水戻り側水室蒸気供給管９０は、蒸気を供給するヘッダ９４、ヘッダ９４に接続し内壁面を加熱する複数の枝管９６（９６ａ、９６ｂ、９６ｃ、９６ｄ、９６ｅ、９６ｆ、９６ｇ）を有する。この海水戻り側水室蒸気供給管９０は、第１実施形態に示す水室蒸気供給管３０と構成を同じくするので説明を省略する。また、第２実施形態に示す多管式冷却器５０の使用方法は第１実施形態に示す多管式冷却器１と同一であり、その作用効果も同一である。さらに海水の出口側水室である上方水室５４にも蒸気供給管を取付けてもよいことは、第１実施形態に示す多管式冷却器１と同じである。
【００３５】
第１実施形態に示す多管式冷却器１と第２実施形態に示す多管式冷却器５０とでは、海水の流れ方に相違があり、これに伴い水室蒸気供給管の取付け位置が異なっているけれども、共に冷却管に海水を送り込む水室の内壁面を加熱する水室蒸気供給管を有する。さらに水室蒸気供給管を構成する枝管及び枝管に穿設された貫通孔を壁面に接するように又は壁面に近接するように取付けることで、少ない蒸気量で海水温度を大きく上昇させることなく内壁面を加熱し、内壁面に付着する海洋生物を死滅させることができる。多管式冷却器は、第１及び第２実施形態に示す型式のものに限定されるものではなく、さらに本発明を多管式の熱交換器に利用することもできる。
【図面の簡単な説明】
【００３６】
【図１】本発明の第１実施形態としての多管式冷却器１の概略的構成を示す断面図である。
【図２】図１の水室蒸気供給管３０の配置を示す図であって、海水入口側水室６から冷却管２側方向に見た図である。
【図３】図２の切断線ＩＩＩ−ＩＩＩで切断した断面図である。
【図４】図３に示す水室蒸気供給管３０の枝管３６ｄの第一変形例である枝管４０ｄを示す断面図である。
【図５】図３に示す水室蒸気供給管３０の枝管３６ｄの第二変形例である枝管４４ｄを示す断面図である。
【図６】本発明の第２実施形態としての多管式冷却器５０の概略的構成を示す断面図である。
【図７】図６の海水入口側水室蒸気供給管７０の配置を示す平面図である。
【図８】図６のＡ部の拡大図であって、海水入口側水室蒸気供給管７０のうち水室蓋５８の下半分の内壁面５９を加熱する水室蓋蒸気供給管７５を水室蓋５８から冷却管２側方向に見た図である。
【図９】図６の海水入口側水室蒸気供給管７０のうち下方水室５２の内壁面５７を加熱する内壁蒸気供給管及び仕切板５５の表面６０を加熱する仕切板蒸気供給管の設置要領を示す部分断面図である。
【符号の説明】
【００３７】
１  多管式冷却器
２  冷却管
６  海水入口側水室
２５  海水入口側水室内壁面
３０  水室蒸気供給管
３４  ヘッダ
３６  枝管
３８  貫通孔
４０  枝管
４２  貫通孔
４４  枝管
４６  貫通孔
５０  多管式冷却器
５１  海水入口側水室
５２  下方水室
５３  海水戻り側水室
５４  上方水室
５５  仕切板
５７  下方水室内壁面
５８  水室蓋
５９  水室蓋下半分内壁面
６０  仕切板表面
７０  海水入口側水室蒸気供給管
７４  ヘッダ
７５  水室蓋蒸気供給管
７６  枝管
７８  貫通孔
８２  枝管
８４  貫通孔
８６  枝管
８８  貫通孔
９０  海水戻り側水室蒸気供給管
９４  ヘッダ
９６  枝管
【図１】
2009127966.tif 000003
【図２】
2009127966.tif 000004
【図３】
2009127966.tif 000005
【図４】
2009127966.tif 000006
【図５】
2009127966.tif 000007
【図６】
2009127966.tif 000008
【図７】
2009127966.tif 000009
【図８】
2009127966.tif 000010
【図９】
2009127966.tif 000011